(57)【要約】      （修正有）【課題】製造コストを抑えるとともに使い捨てが可能な部分を最小限に抑えたエコ箸の提供する。【解決手段】箸先部１１−１が交換可能な組み立て式のエコ箸１０であって、箸先部１１−１の後端に後端の外径より細く同軸状に形成され周面にシボ加工が施された突起１３−１，１５と、突起１３−１，１５が挿入されると箸先部１１−１を保持する凹部１４，１６が形成された把持部１２と、を備える。【選択図】図１
0003193573.tif 000002
【実用新案登録請求の範囲】
【請求項１】
箸先部が交換可能な組み立て式のエコ箸であって、前記箸先部の後端に前記後端の外径より細く同軸状に形成され周面にシボ加工が施された突起と、前記突起が挿入されると前記箸先部を保持する凹部が形成された把持部と、を備えたことを特徴とするエコ箸。
【請求項２】
前記突起及び前記凹部が円形断面形状であることを特徴とする請求項１記載のエコ箸。
【請求項３】
前記突起及び前記凹部がＤ字断面形状であることを特徴とする請求項１記載のエコ箸。
【請求項４】
前記箸先部の先端部の周面に複数の溝が形成されたことを特徴とする請求項１から３のいずれか一項記載のエコ箸。
【請求項５】
前記把持部が木材、竹、セラミック、象牙もしくは樹脂からなり、前記箸先部が木材、竹、樹脂、もしくは金属からなることを特徴とする請求項１から４のいずれか一項記載のエコ箸。
【考案の詳細な説明】
【技術分野】
【０００１】
本考案は、箸先部が交換可能な組み立て式のエコ箸に関する。
【背景技術】
【０００２】
箸先部が交換可能な組み立て式のエコ箸について種々の提案がなされている（例えば、特許文献１参照。）。
【先行技術文献】
【特許文献】
【０００３】
【特許文献１】実用新案登録第３１４５２５２号公報
【０００４】
特許文献１に記載の考案は、組立て箸の箸棒構造に関するものであり、具体的には、少なくとも螺接組合せる２本の棒体を含み、そのうちの１本の該棒体は組立て端において外ネジを設置し、もう１本の棒体は組立て端において外ネジを螺接可能な内ネジ孔を設置し、内ネジ孔を備える棒体は内ネジ孔の底端に収容孔を備え、しかも収容孔内部には外ネジ末端を緊密圧迫可能な弾性体を嵌入するものである。
【考案の概要】
【考案が解決しようとする課題】
【０００５】
しかしながら、特許文献１に記載の技術では箸１本当たりの部品点数が３個で有り、ネジ溝加工が必要であるため、その分製造コストがかかるという問題があった。また、特許文献１に記載の箸は、ほぼ２分の１の部分で分解するため、箸先を割り箸のような使い捨てにした場合無駄が多くなるという問題があった。
【０００６】
本考案は、上記課題に鑑みてなされたもので、製造コストを抑えるとともに使い捨てが可能な部分を最小限に抑えたエコ箸の提供を目的とする。
【課題を解決するための手段】
【０００７】
かかる目的を達成するために、本考案の請求項１に係る考案は、箸先部が交換可能な組み立て式のエコ箸であって、前記箸先部の後端に前記後端の外径より細く同軸状に形成され周面にシボ加工が施された突起と、前記突起が挿入されると前記箸先部を保持する凹部が形成された把持部と、を備えたことを特徴とする。
【０００８】
請求項２に係る考案は、請求項１に記載の考案において、前記突起及び前記凹部が円形断面形状であることを特徴とする。
【０００９】
請求項３に係る考案は、請求項１に記載の考案において、前記突起及び前記凹部がＤ字断面形状であることを特徴とする。
【００１０】
請求項４に係る考案は、請求項１から３のいずれか一項に記載の考案において、前記箸先の先端部の周面に複数の溝が形成されたことを特徴とする。
【００１１】
請求項５に係る考案は、請求項１から４のいずれか一項記載の考案において、前記把持部が木もしくは樹脂からなり、前記箸先が木、樹脂、もしくは金属からなることを特徴とする。
【考案の効果】
【００１２】
本考案によれば、製造コストを抑えるとともに使い捨てが可能な部分を最小限に抑えたエコ箸の提供が可能となる。
【図面の簡単な説明】
【００１３】
【図１】（ａ）はエコ箸１０の分解図であり、（ｂ）は（ａ）のＩｂ−Ｉｂ線断面図であり、（ｃ）は（ａ）に示したエコ箸１０の組立図である。（ｄ）は（ａ）のＩｄ−Ｉｄ線拡大断面図であり、（ｅ）は（ａ）のＩｅ−Ｉｅ線拡大断面図であり、（ｆ）は（ａ）のＩｆ−Ｉｆ線拡大断面図であり、（ｇ）は（ａ）のＩｇ−Ｉｇ線拡大断面図であり、（ｈ）は（ａ）のＩｈ−Ｉｈ線拡大断面図であり、（ｉ）は（ａ）のＩｉ−Ｉｉ線拡大断面図である。
【図２】（ａ）は図１（ａ）に示した箸先部の変形例であり、（ｂ）は（ａ）のIIｂ−IIｂ線断面図であり、（ｃ）は図１（ａ）に示した箸先部の他の変形例であり、（ｄ）は（ｃ）のIIｄ−IIｄ線断面図である。
【考案を実施するための形態】
【００１４】
＜構  成＞
本考案のエコ箸の実施形態について図面を参照して説明する。尚、図では１本しか示していないが、エコ箸は、２本一組であることはいうまでもない。
図１（ａ）はエコ箸１０の分解図であり、図１（ｂ）は図１（ａ）のＩｂ−Ｉｂ線断面図であり、図１（ｃ）は図１（ａ）に示したエコ箸１０の組立図である。図１（ｄ）は図１（ａ）のＩｄ−Ｉｄ線拡大断面図であり、図１（ｅ）は図１（ａ）のＩｅ−Ｉｅ線拡大断面図であり、図１（ｆ）は図１（ａ）のＩｆ−Ｉｆ線拡大断面図であり、図１（ｇ）は図１（ａ）のＩｇ−Ｉｇ線拡大断面図であり、図１（ｈ）は図１（ａ）のＩｈ−Ｉｈ線拡大断面図であり、図１（ｉ）は図１（ａ）のＩｉ−Ｉｉ線拡大断面図である。尚、図１（ｆ）、（ｈ）は突起の変形例を示す。
【００１５】
箸先部１１−１が交換可能な組み立て式のエコ箸１０の箸先部１１−１は、先端（図の左端）に向かって細いテーパ状に形成されている。テーパ形状は、線形テーパ、指数関数テーパ、放物線テーパのいずれであってもよい。箸先部１１−１の後端（この場合、図の右端）は、後端の外径より細く同軸状に形成され周面にシボ加工が施された円柱状の突起１３−１を備える。突起１３−１の端部は丸みを帯びており、スムーズに挿入される。
エコ箸１０の把持部（持ち手とも言う）１２の先端（図の左端）には、箸先部１１−１の突起１３−１が挿入されると箸先部１１−１を保持する凹部１４が形成されている。把持部１２は先端付近がテーパ状に形成されテーパの端から後端（図の右端）にわたって丸みを帯びた断面正方形状の角柱状に形成されているが、本考案はこれに限定されるものではなく、把持部１２のテーパ端から後端にわたって断面円形状（円柱状）であっても断面多角形状（角柱状）であってもよい。
【００１６】
エコ箸１０の箸先部１１−１及び把持部１２は、突起１３−１及び凹部１４が円形断面形状であるが、本考案はこれに限定されることはなく、突起１３−１及び凹部１４が図１（ｆ）、（ｈ）に示すようにＤ字断面形状であってもよい。エコ箸１０が突起１３−１及び凹部１４を有する場合には箸先部１１−１が把持部１２に対して回転するのが防止される。
【００１７】
把持部１２は木材、竹、セラミック、象牙もしくは樹脂からなり、箸先部１１−１は木材、竹、樹脂、もしくは金属からなる。木材としては、例えば、杉、ヒノキ、エゾマツ、白樺、黒檀、紫檀等が挙げられる。竹としては、例えば、孟宗竹、胡麻竹（錆竹）、白竹（晒竹）等が挙げられる。セラミックとしては、例えばアルミナ、ステアタイトが挙げられる。樹脂としては、例えば、ＰＰＳ樹脂（スーパーエンジニアリングプラスチック）、ＰＰＳ樹脂（エンジニアリングプラスチック）、ポリアミド、ポリエチレンテレフタレート等が挙げられる。金属としては、ステンレス、銀、白銅、銀メッキ銅等が挙げられる。
【００１８】
エコ箸１０の長さは、例えば、箸先部１１−１が７０ｍｍであり、把持部１２が１４０ｍｍであり、突起１３−１が１０ｍｍであり、箸先部１１−１の最大外径が６ｍｍであり、把持部１２の最大幅が７ｍｍであるが、本考案はこれに限定されるものではなく、エコ箸１０の全長が例えば１３０ｍｍ〜２６０ｍｍ程度の長さであればよい。
【００１９】
＜変形例＞
図２（ａ）は図１（ａ）に示した箸先部の変形例であり、図２（ｂ）は図２（ａ）のIIｂ−IIｂ線断面図であり、図２（ｃ）は図１（ａ）に示した箸先部の他の変形例であり、図２（ｄ）は図２（ｃ）のIIｄ−IIｄ線断面図である。
図２（ａ）に示した箸先部１１−２の図１（ａ）に示した箸先部１１−１との相違点は、箸先部１１−２の先端部１７の周面に複数の溝１７ａが形成されている点である。
【００２０】
図２（ｃ）に示した箸先部１１−３の図１（ａ）に示した箸先部１１−１との相違点は、箸先部１１−３が金属で構成されている点である。
【００２１】
＜作用効果＞
図１（ａ）に示した箸先部１１−１の突起１３−１を図１（ａ）に示した把持部１２の凹部１４に差し込むと、把持部１２に箸先部１１−１が保持され、図１（ｃ）に示すエコ箸１０が組み立てられる。突起１３−１の周面にはシボ加工が施されているので、シボ加工を施さない場合に比べて摩擦係数が大きいため抜けにくいという効果が得られる。
箸先部１１−１を交換することで、種々の用途が得られる。すなわち、通常は把持部１２及び箸先部１１−１を樹脂材料のものを用い、一般的なエコ箸として繰り返し洗浄して使用することが可能である。
箸先部１１−１を木材や竹で一般的に割り箸に使用される材質（例えば、白樺）で構成し、箸先部１１−１のみ使い捨てすることができる。用途として、家庭では来客時のもてなし用が挙げられ、外食産業では割り箸の代用が挙げられる。また、一度他人が使用した箸を洗浄後使用するのを嫌うユーザに最適である。
【００２２】
箸先部１１−２のように先端部１７の周面に複数（図では３つであるが限定されない。）の溝１７ａが形成されていることにより、例えば納豆をかき混ぜたり食べたりする場合、先端部１７に溝１７ａによる凹凸が形成されているので、混ぜやすく、掴みやすくなる。
【００２３】
箸先部１１−３が金属で構成されている場合、一般家庭での調理や屋外でのバーベキューや焼き肉等に利用できる。外食産業では、焼肉店等の直火焼き（網焼き）や鉄板焼き等の料理に使用でき、繰り返し洗浄して使用できるので、経済的である。把持部１２が樹脂や木材等からなるため、油や汗等で滑りにくいという効果が得られる。
【００２４】
なお、上記実施形態は、本考案における好適な具体例であり、技術的に好ましい種々の限定を付している場合もあるが、本考案の技術範囲は、特に本考案を限定する記載がない限り、これらの態様に限定されるものではない。また、上記実施形態における構成要素は、適宜、既存の構成要素等との置き換えが可能であり、かつ、他の既存の構成要素との組合せを含む様々なバリエーションが可能である。したがって、上記実施形態の記載をもって、実用新案登録請求の範囲に記載された考案の内容を限定するものではない。
【符号の説明】
【００２５】
１０    エコ箸
１１−１、１１−２、１１−３    箸先部
１２    把持部
１３−１、１３−２、１３−３、１５    突起
１４、１６    凹部
１７    先端
１７ａ    溝
【図１】
0003193573.tif 000003
【図２】
0003193573.tif 000004